(57)【要約】【課題】  解像度の低下が小さく抑えられて画質が高められた撮影装置を提供する。【解決手段】  カメラ１００のぶれの方向およびぶれの程度を検出するカメラ動き方向検出部９からのぶれの検出結果に基づいて、パンによる撮影が行なわれた場合は、液晶光学ローパスフィルタ３の、ぶれの大きな横方向について分離幅が小さくなるように、またチルトによる撮影が行なわれた場合は、液晶光学ローパスフィルタ３の、ぶれの大きな縦方向について分離幅が小さくなるように、分離幅調整部４で調整する。【選択図】  図２
2007104419.tif 000002
【特許請求の範囲】
【請求項１】
撮影光学系を備え該撮影光学系を経由して入射してきた被写体光を撮像素子で捉えて画像信号を生成する撮影装置において、
この撮影装置のぶれの方向およびぶれの程度を検出するセンサと、
液晶を用い印加電圧に応じて複屈折の分離幅が変化するローパスフィルタであって、縦横の各分離幅を独立に調整自在なローパスフィルタと、
前記センサによるぶれの検出結果に基づいて、前記ローパスフィルタの縦および横の分離幅を、ぶれの大きな方向については分離幅が小さくなるようにそれぞれ調整する分離幅調整部とを備えたことを特徴とする撮影装置。
【請求項２】
撮影光学系を備え該撮影光学系を経由して入射してきた被写体光を撮像素子で捉えて画像信号を生成する撮影装置において、
この撮影装置のぶれの方向およびぶれの程度を検出するセンサと、
液晶を用い印加電圧に応じて光束の屈折方向が変化する画素ずらし素子であって、縦横の画素ずらし量を独立に調整することにより前記撮像素子上の被写体像の画像信号を二次元的に調整する画素ずらし素子と、
前記センサによるぶれの検出結果に基づいて、前記画素ずらし素子の、縦および横の画素ずらし量を、ぶれの大きな方向については画素ずらし量が小さくなるようにそれぞれ調整する画素ずらし量調整部とを備えたことを特徴とする撮影装置。
【発明の詳細な説明】
【技術分野】
【０００１】
本発明は、撮影光学系を備えその撮影光学系を経由して入射してきた被写体光を撮像素子で捉えて画像信号を生成する撮影装置に関する。
【背景技術】
【０００２】
撮影装置の一つであるデジタルカメラには、撮影素子として、ＣＣＤ（Ｃｈａｒｇｅ  Ｃｏｕｐｌｅｄ  Ｄｅｖｉｃｅ）が広く用いられている。ＣＣＤには、所定の間隔（画素ピッチと称する）で二次元的に配列された多数の光電変換素子、およびそれら多数の光電変換素子上に配備されたカラーフィルタアレイが備えられている。カラーフィルタアレイの色の配列方式としては、ベイヤ配列方式、Ｇストライプ配列方式、Ｒ／Ｇ市松配列方式、ＧＲＢストライプ配列方式等が知られている。ＣＣＤは、撮影レンズを経由して入射されてきた被写体光を、上記光電変換素子および上記カラーフィルタで離散的にサンプリングすることによりカラーの画像信号を得ている。
【０００３】
ここで、ＣＣＤに備えられた光電変換素子の画素ピッチやカラーフィルタアレイの配列方式に応じて定まる色配列ピッチ以上の高周波成分を有する被写体光が入射されると、折り返し歪みが生じる。被写体を撮影して得られた画像に、この折り返し歪みの成分が混入すると、撮影された画像の色や輝度が周期的に変動する縞状の模様（モアレ）等が発生する。詳細には、画素ピッチや色配列ピッチにより定まる空間サンプリング周波数を有するＣＣＤを備えた撮影装置において、被写体を撮影するにあたり、その被写体に空間サンプリング周波数の１／２の周波数（ナイキスト周波数と称する）以上の成分が含まれていると、そのナイキスト周波数で折り返されて、折り返し歪みが発生し、その折り返し歪みが偽信号として画像信号に重畳され、これによりモアレ等が発生して、撮影画像の画質が低下するという問題がある。この問題を解決するために、撮影レンズとＣＣＤとの間に光学的ローパスフィルタを配置し、この光学的ローパスフィルタで被写体光の高周波成分を除去するということが行なわれている。
【０００４】
例えば、偏向分離機能を有する２枚の水晶複屈折板と、これら２枚の複屈折板の間に配備され液晶を用いた旋光子を備えた光学的ローパスフィルタとで、ＣＣＤを構成する隣り合う光電変換素子に１つの光線を分離して得られた同じ強度を持つ常光と異常光とを入射し、これにより画素ピッチよりも細かい空間周波数を有する被写体像を鈍らせて、モアレを低減する技術が提案されている（特許文献１参照）。
【０００５】
また、２枚の水晶複屈折板と位相差板を備えた光学的ローパスフィルタからの常光と異常光との光線強度の差を低減するために、撮影レンズと光学的ローパスフィルタの間に、偏向板と液晶素子を有する調光装置を設けた技術が提案されている（特許文献２参照）。
【０００６】
さらに、水平方向および斜め方向に画素の見かけ上の位置を光学素子でずらすことにより、解像度を高める技術が提案されている（特許文献３参照）。
【０００７】
また、見かけ上の画素数を増加させて解像度を高めるために、偏向板と液晶板と複屈折板とでＣＣＤの画素配列の水平方向，垂直方向それぞれについて１／２画素ずつずらし、１／２画素ずつずれた２つの画像信号を切り替えて出力する技術が提案されている（特許文献４参照）。
【特許文献１】特開２００３−２８７６２０号公報
【特許文献２】特開２００３−３３００４６号公報
【特許文献３】特開２００１−６６６２５号公報
【特許文献４】特開２０００−１２５１６９号公報
【発明の開示】
【発明が解決しようとする課題】
【０００８】
デジタルカメラで動画や静止画を撮影するにあたり、デジタルカメラの位置を変更せずにそのデジタルカメラを横方向や縦方向に振りながら撮影する、いわゆるパンやチルトによる撮影を行なう場合がある。
【０００９】
ここで、光学式ローパスフィルタは、画素ピッチよりも細かい空間周波数を有する被写体像を鈍らせるものであるため、モアレ等の発生を防止することはできるものの撮影画像の解像度が低下するという問題がある。そこで、パンやチルトが行なわれた場合、その動きを考慮して光学式ローパスフィルタの特性を変化させることにより、撮影画像の画質の低下を小さく抑えることが考えられる。即ち、パンやチルトにおける動き方向については、光学式ローパスフィルタの効果を低下させることにより、撮影画像の解像度の低下を小さく抑えて画質を高めることが考えられる。また、手ぶれ等が発生した場合も同様に、動きの発生していない方向については、光学式ローパスフィルタの機能を低下させることが考えられる。
【００１０】
しかし、特許文献１に提案された光学的ローパスフィルタは、それぞれが固有の屈折率を有する２枚の水晶複屈折板と、液晶分子のねじれの角度が４５度に固定された旋光子とを備えたものであるため、その光学的ローパスフィルタの特性をカメラの動きに応じて可変することは困難であり、従って撮影画像の画質の低下を小さく抑える点に欠けるという問題がある。
【００１１】
また、特許文献２に提案された、光学的ローパスフィルタを構成する２枚の複屈折板はそれぞれ固有の屈折率を有するとともに調光装置を構成する偏向板の偏向軸および液晶素子の液晶分子配向方位は、光学的ローパスフィルタからの光線分離方位に対して４５度の角度をなすものである。このため、光学的ローパスフィルタおよび調光装置の特性をカメラの動きに応じて可変することは困難であり、従って撮影画像の画質の低下を小さく抑える点に欠けるという問題がある。
【００１２】
さらに、特許文献３に提案された技術は、観察される画素数を見かけ上増加させて、見易い画像を提供する技術であり、カメラの動きに伴う解像度の変化に対する対応については記載されていない。
【００１３】
また、特許文献４に提案された技術は、偏向板と液晶板と複屈折板とでＣＣＤの画素配列の水平方向，垂直方向それぞれについて１／２画素ずつずれた２つの画像信号を切り替えて出力することにより、見かけ上の画素数を増加させて解像度を高める技術であり、やはりカメラの動きに伴う解像度の変化に対する対応については記載されていない。
【００１４】
本発明は、上記事情に鑑み、解像度の低下が小さく抑えられて画質が高められた撮影装置を提供することを目的とする。
【課題を解決するための手段】
【００１５】
上記目的を達成する本発明の撮影装置のうちの第１の撮影装置は、撮影光学系を備えその撮影光学系を経由して入射してきた被写体光を撮像素子で捉えて画像信号を生成する撮影装置において、
この撮影装置のぶれの方向およびぶれの程度を検出するセンサと、
液晶を用い印加電圧に応じて複屈折の分離幅が変化するローパスフィルタであって、縦横の各分離幅を独立に調整自在なローパスフィルタと、
上記センサによるぶれの検出結果に基づいて、上記ローパスフィルタの縦および横の分離幅を、ぶれの大きな方向については分離幅が小さくなるようにそれぞれ調整する分離幅調整部とを備えたことを特徴とする。
【００１６】
撮影装置で動画や静止画を撮影するにあたり、パンやチルトによる撮影が行なわれた場合、この撮影装置は横方向や縦方向に動くため、鈍ったボケた感じの画像となってしまう。ここで、ローパスフィルタは、画素ピッチよりも細かい空間周波数を有する被写体像を鈍らせるものであるため、横方向や縦方向への動きに起因する解像度の劣化とローパスフィルタの機能に起因する解像度の劣化とが重なり、さらにボケた画像が得られてしまうこととなる。
【００１７】
本発明の第１の撮影装置は、この撮影装置のぶれの方向およびぶれの程度を検出するセンサによるぶれの検出結果に基づいて、液晶を用い印加電圧に応じて複屈折の分離幅が変化するローパスフィルタの縦および横の分離幅を、ぶれの大きな方向については分離幅が小さくなるようにそれぞれ調整するものである。このため、パンによる撮影が行なわれた場合は、ローパスフィルタの、ぶれの大きな横方向について分離幅が小さくなるように、またチルトによる撮影が行なわれた場合は、ローパスフィルタの、ぶれの大きな縦方向について分離幅が小さくなるように調整することにより、撮影画像の解像度を必要以上に低下させないようにすることができる。従って、撮影画像の画質を高めることができる。
【００１８】
また、上記目的を達成する本発明の撮影装置のうちの第２の撮影装置は、撮影光学系を備えその撮影光学系を経由して入射してきた被写体光を撮像素子で捉えて画像信号を生成する撮影装置において、
この撮影装置のぶれの方向およびぶれの程度を検出するセンサと、
液晶を用い印加電圧に応じて光束の屈折方向が変化する画素ずらし素子であって、縦横の画素ずらし量を独立に調整することにより上記撮像素子上の被写体像の画像信号を二次元的に調整する画素ずらし素子と、
上記センサによるぶれの検出結果に基づいて、上記画素ずらし素子の、縦および横の画素ずらし量を、ぶれの大きな方向については画素ずらし量が小さくなるようにそれぞれ調整する画素ずらし量調整部とを備えたことを特徴とする。
【００１９】
本発明の第２の撮影装置は、この撮影装置のぶれの方向およびぶれの程度を検出するセンサによるぶれの検出結果に基づいて、液晶を用い印加電圧に応じて光束の屈折方向が変化する画素ずらし素子の、縦および横の画素ずらし量を、ぶれの大きな方向については画素ずらし量が小さくなるようにそれぞれ調整するものである。このため、この撮影装置で動画や静止画を撮影するにあたり、ぶれが発生した場合、画素ずらし素子の、縦および横の画素ずらし量を、ぶれの大きな方向については画素ずらし量が小さくなるようにそれぞれ調整することにより、撮影画像の解像度を必要以上に低下させないようにすることができる。従って、撮影画像の画質を高めることができる。
【発明の効果】
【００２０】
本発明によれば、解像度の低下が小さく抑えられて画質が高められた撮影装置を提供することができる。
【発明を実施するための最良の形態】
【００２１】
以下、本発明の実施形態について説明する。
【００２２】
図１は、本発明の第１の撮影装置の第１実施形態であるカメラの外観図である。
【００２３】
図１（ａ）は正面図、（ｂ）は上面図、（ｃ）は側面図、（ｄ）は背面図である。
【００２４】
図１（ａ）〜（ｃ）に示すカメラ１００は、撮影光学系を備えその撮影光学系を経由して入射してきた被写体光を撮像素子で捉えて画像信号を生成するデジタルカメラである。
【００２５】
図１（ｄ）に示すように、このカメラ１００の背面にはユーザがこのカメラ１００を使用するときに種々の操作を行なうための操作部１２０が設けられている。
【００２６】
この操作部１２０には、カメラ１００を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行やキャンセル等を行なうための実行／キャンセルスイッチ１２６が備えられている。
【００２７】
また、カメラ１００の背面には、撮影画像や再生画像等を表示するための画像表示ＬＣＤ１０２と、操作の手助けを行なうための操作表示ＬＣＤ１０３が備えられている。
【００２８】
さらに、図１（ｂ）に示すように、このカメラ１００の上面にはレリーズ釦１０４が配備されている。このレリーズ釦１０４によって撮影の開始指示がカメラ１００の内部に備えられた、後述するメインＣＰＵへと伝えられる。このカメラ１００では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。また、図１（ａ）に示すように、カメラ１００の上面には、閃光を発光する閃光発光管１０５ａを有する閃光発光装置１０５が配備されている。
【００２９】
さらに、図１（ｃ）に示すように、カメラ１００の側面には、このカメラ１００により撮影された被写体の画像信号をテレビやプロジェクタ等に出力するためのケーブルが接続される映像出力端子１０６と、このカメラ１００により撮影された被写体の画像信号をＵｎｉｖｅｒｓａｌ  Ｓｅｒｉａｌ  Ｂｕｓ（ＵＳＢ）端子が備えられたパーソナルコンピュータ等に出力し、およびこのようなパーソナルコンピュータ等からカメラ１００に画像信号を入力するためのケーブルが接続されるＵＳＢ端子１０７と、ＡＣアダプタからの直流電圧が入力される直流電圧入力端子１０８とが備えられている。
【００３０】
図２は、図１に示すカメラの回路構成を示すブロック図である。
【００３１】
このカメラ１００には、撮影光学系１が備えられている。この撮影光学系１は、撮影レンズ１０１と、絞りユニット２と、液晶光学ローパスフィルタ３（本発明にいうローパスフィルタの一例に相当）とから構成されている。撮影レンズ１０１は、ズーム群１０１＿１とフォーカス群１０１＿２から構成されている。
【００３２】
液晶光学ローパスフィルタ３は、液晶を用い印加電圧に応じて複屈折の分離幅が変化するローパスフィルタであって、縦横の各分離幅を独立に調整自在なローパスフィルタである。
【００３３】
また、このカメラ１００には、このカメラ１００のぶれの方向およびぶれの程度を検出するカメラ動き方向検出部９（本発明にいうセンサの一例に相当）が備えられている。具体的には、カメラ動き方向検出部９は、このカメラ１００で動画や静止画を撮影するにあたり、パンによる撮影が行なわれた場合は、そのぶれの大きな横方向における信号を検出し、またチルトによる撮影が行なわれた場合は、そのぶれの大きな縦方向における信号を検出する。
【００３４】
さらに、このカメラ１００には、カメラ動き方向検出部９によるぶれの検出結果に基づいて、液晶光学ローパスフィルタ３の縦および横の分離幅を、ぶれの大きな方向については分離幅が小さくなるようにそれぞれ調整する分離幅調整部４が備えられている。
【００３５】
また、このカメラ１００には、ズーム群１０１＿１を駆動するズーム駆動部５と、フォーカス群１０１＿２を駆動するフォーカス駆動部６と、絞りユニット２を駆動する絞り駆動部７と、ズーム群１０１＿１の位置を検出するズーム位置検出部８とが備えられている。
【００３６】
さらに、このカメラ１００には、撮影光学系１を経由して入射してきた被写体光を結像させてアナログの画像信号に変換する撮像素子であるＣＣＤ１３２が備えられている。
【００３７】
また、このカメラ１００には、ＣＣＤ１３２からのアナログ画像信号をディジタルの画像データにＡ／Ｄ変換するＡ／Ｄ部１３３と、Ａ／Ｄ部１３３からのデジタルの画像データが表わす被写体像のホワイトバランスを合わせるとともにその被写体像の階調特性における直線の傾き（γ）を調整し、さらにデジタルの画像信号を増幅する白バランス・γ処理部１３４が備えられている。
【００３８】
さらに、カメラ１００には、白バランス・γ処理部１３４からの画像データを格納するバッファメモリ１３５が備えられている。
【００３９】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源１４１とが備えられている。
【００４０】
ＣＧ部１３６は、ＣＣＤ１３２を駆動するための駆動信号、Ａ／Ｄ部１３３，白バランス・γ処理部１３４を制御する制御信号、および通信制御部１３９を制御する制御信号を出力する。また、このＣＧ部１３６には、後述するメインＣＰＵ１４５からのシャッタ制御信号、および測光・測距用ＣＰＵ１３７からの制御信号が入力される。
【００４１】
測光・測距用ＣＰＵ１３７は、撮影レンズ１０１，絞りユニット２を、ズーム駆動部５，フォーカス駆動部６，絞り駆動部７で駆動するとともにズーム位置検出部８で検出することにより測光や測距を行ない、ＣＧ部１３６および充電・発光制御部１３８を制御する。さらに、この測光・測距用ＣＰＵ１３７は、後述するメインＣＰＵとの間でデータ通信を行なう。また、この測光・測距用ＣＰＵ１３７は、カメラ動き方向検出部９からのぶれの大きさを表わす検出信号、即ち、このカメラ１００で動画や静止画を撮影するにあたり、パンによる撮影が行なわれた場合は、そのぶれの大きな横方向における検出信号を、またチルトによる撮影が行なわれた場合は、そのぶれの大きな縦方向における検出信号を入力し、入力された検出信号に応じた大きさの信号を分離幅調整部４に向けて出力する。
【００４２】
充電・発光制御部１３８は，閃光発光管１０５ａを発光させるために電源１４１からの電力の供給を受けて図示しない閃光発光用のコンデンサを充電したり、その閃光発光管１０５ａの発光を制御する。
【００４３】
通信制御部１３９には、図１（ｃ）に示すＵＳＢ端子１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。
【００４４】
また、このカメラ１００には、図１（ｃ）に示す映像出力端子１０６が備えられており、ＹＣ処理部１４０は、バッファメモリ１３５に格納された画像データをバスライン１４２を介して読み出し、輝度信号（Ｙ）と色信号（Ｃ）に分離されたカラー映像信号ＹＣを生成する。生成されたカラー映像信号ＹＣは、上記映像出力端子１０６から出力される。
【００４５】
電源１４１は、このカメラ１００の各部に電力を供給する。
【００４６】
さらに、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００４７】
また、カメラ１００には、メインＣＰＵ１４５と、ＥＥＰＲＯＭ１４６と、ＹＣ／ＲＧＢ変換部１４７と、表示用のドライバ１４８とが備えられている。
【００４８】
メインＣＰＵ１４５は、このカメラ１００全体の制御を行なう。
【００４９】
ＥＥＰＲＯＭ１４６には、このカメラ１００固有の固体データ等が格納されている。
【００５０】
ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５１】
図３は、図２に示す液晶光学ローパスフィルタの断面図である。
【００５２】
図３に示す液晶光学ローパスフィルタ３には、スペーサ３１と、スペーサ３１を介して互いに対向して配置された平板状の透明基板３２，３３と、透明基板３２，３３の内面に配備された透明電極３４，３５と、透明電極３４，３５の内面に配備された配光膜３６，３７と、スペーサ３１および配光膜３６，３７からなる空間に封入された液晶３８とが備えられている。液晶３８は液晶分子３８ａを有する。また、透明電極３４，３５には、液晶分子３８ａの配列の方向を調整する電圧Ｖが印加される。
【００５３】
透明基板３２，３３は、入射される光の波長帯域に対して高い透過率を有する材料で形成され、ガラスや高分子フイルム等を用いることができる。
【００５４】
透明電極３４，３５は、電圧Ｖが印加される電極パターンを有する。電極パターンの構造については後述するが、この電極パターンの構造およびこの電極パターンに印加される電圧Ｖの大きさに応じて、液晶分子３８ａの配列の方向を自在に調整することができる。
【００５５】
配光膜３６，３７は、透明電極３４，３５に電圧Ｖが印加されていないときに液晶分子３８ａを所定の配列の方向にさせておくためのものである。
【００５６】
図４は、図３に示す液晶光学ローパスフィルタの液晶分子の配列の方向を調整する様子を説明するための図である。
【００５７】
図４には、液晶光学ローパスフィルタ３を構成する透明電極３４，３５と、配光膜３６，３７と、液晶分子３８ａを有する液晶３８とが示されている。液晶分子３８ａは、長軸方向に光学軸を有する。透明電極３４，３５には、液晶分子３８ａの配列の方向を調整する電圧Ｖが印加されており、これにより液晶分子３８ａの配列の方向は、光学軸に対して角度（チルト角）βだけ変更されている。
【００５８】
図５は、図４に示す液晶分子の、印加電圧に応じて変化する複屈折の分離幅を示す図である。
【００５９】
液晶分子３８ａの配列の方向は、光学軸Ｐに対してチルト角βだけ変更されている。このような状態における液晶分子３８ａは、光路長Ｌを有する。このような光路長Ｌを有する液晶分子２１７ａに入射光Ａが入射される。この入射光Ａは、液晶分子３８ａで複屈折されて常光Ａ１と異常光Ａ２とに分離されて出射される。これら常光Ａ１と異常光Ａ２の分離幅ｄは、チルト角βｎに応じて定まる。このように、入射光Ａを液晶分子３８ａで複屈折して常光Ａ１と異常光Ａ２とに分離して、ＣＣＤ１３２を構成する隣り合う光電変換素子に同じ光線を入射し、これにより画素ピッチよりも細かい空間周波数を有する被写体像を鈍らせて、モアレ等を低減する。
【００６０】
通常の液晶分子の屈折率を想定した場合、１０μｍまでの分離幅なら変えることは可能である。
【００６１】
ここで、液晶光学ローパスフィルタ３の実施例について説明する。本実施例では、ガラス基板上に透明電極３４，３５としてインジウムスズオキサイド（ＩＴＯ）をスパッタにより付けた。その上に、配光膜３６，３７としてポリイミド膜（日産化学製）を塗布、焼成したのち、ラビング処理した。４０μｍのスペーサ３１（積水化学製）でサンドイッチ状に挟んだ素子中に液晶ＺＬＩ−１１３２（メルク製）を注入し封止した。
【００６２】
電圧Ｖを印加しない状態でのチルト角は３０度であり、液晶光学ローパスフィルタ３の分離幅を偏光顕微鏡で観測したところ７μｍであった。この素子（液晶光学ローパスフィルタ３）に電圧Ｖを印加させてチルト角を４５度とした場合、分離幅は５μｍとなり、また、この素子に電圧Ｖを印加させてチルト角を６０度とした場合、分離幅は４μｍとなった。即ち、電圧Ｖｎにより液晶光学ローパスフィルタ３の分離幅を可逆的に変化させることが可能であった。
【００６３】
図６は、液晶光学ローパスフィルタの、分離幅ｄにおける空間周波数レスポンスを示す図である。
【００６４】
図６の横軸は空間周波数を示し、縦軸はＭＴＦを示す。液晶光学ローパスフィルタの、分離幅ｄ（ｍｍ）における、グラフＡで示す空間周波数レスポンスは、分離幅ｄの逆数の半分１／（２ｄ）ｃｓ／ｍｍでゼロとなる。
【００６５】
図７は、種々のレンズの空間周波数レスポンスを示す図である。
【００６６】
レンズの、空間周波数に対するＭＴＦ特性には、いろいろな傾向があり、グラフＢ，Ｃに示すように高周波まで伸びて高解像度を有する特性のもの、グラフＤに示すように低周波で高コントラストを有する特性のもの等、多様である。ズームレンズにおいても、空間周波数に対するＭＴＦ特性は、ズーム全域にわたって一様ではなく、多くのものは、ワイド端では高周波まで伸び、テレ端では開放Ｆ値の落ち込みと相俟って中間の周波数帯からＭＴＦ値が低くなる。一般に、液晶光学ローパスフィルタは、このようなレンズ特性を考慮して複屈折の分離幅が調整される。
【００６７】
本実施形態のカメラ１００では、このような液晶光学ローパスフィルタ３に対して、このカメラ１００のぶれの方向およびぶれの程度を検出するカメラ動き方向検出部９からのぶれの検出結果に基づいて、液晶光学ローパスフィルタ３の縦および横の分離幅を、ぶれの大きな方向については分離幅が小さくなるように分離幅調整部４でそれぞれ調整するものである。このため、このカメラ１００で動画や静止画を撮影するにあたり、パンによる撮影が行なわれた場合は、液晶光学ローパスフィルタ３の、ぶれの大きな横方向について分離幅が小さくなるように、またチルトによる撮影が行なわれた場合は、液晶光学ローパスフィルタ３の、ぶれの大きな縦方向について分離幅が小さくなるように調整することにより、撮影画像の解像度を必要以上に低下させないようにすることができる。従って、撮影画像の画質を高めることができる。
【００６８】
図８は、図１，図２に示すカメラにおける液晶光学ローパスフィルタの断面形状を、電極の構造とともに示す図である。
【００６９】
図８には、カメラ１００における液晶光学ローパスフィルタ３を構成する配光膜３６，３７と、それら配光膜３６，３７の外面に配備された透明電極３４，３５が示されている。透明電極３４は、水平方向に形成されたストライプ状の電極パターン３４ａを有する。また、透明電極３５も、透明電極３４と同様に、やはり水平方向に形成されたストライプ状の電極パターン３５ａを有する。この液晶光学ローパスフィルタ３は、透明電極３４，３５の電極パターン３４ａ，３５ａが対称的であるため、例えば電極パターン３４ａ，３５ａの上部から下部にかけて共に値が徐々に小さく（もしくは大きく）なるような電圧Ｖを印加することにより、液晶分子３８ａの配列の方向を徐々に小さく（もしくは大きく）なるように調整することができる。このようにすることにより、液晶光学ローパスフィルタ３の上下方向に対する複屈折の分離幅を調整することができる。また、例えば電極パターン３４ａ，３５ａそれぞれの各部分ごとに任意の大きさの電圧Ｖを印加することにより、液晶分子３８ａの配列の方向を自在に調整することもできる。このようにすることにより、液晶光学ローパスフィルタ３の複屈折の分離幅を自在に調整することができる。
【００７０】
図９は、図８に示す液晶光学ローパスフィルタとは異なる液晶光学ローパスフィルタの断面形状を、電極の構造とともに示す図である。
【００７１】
図９に示す液晶光学ローパスフィルタ３＿１は、図８に示す液晶光学ローパスフィルタ３と比較し、水平方向に形成されたストライプ状の電極パターン３５ａを有する透明電極３５に代えて、垂直方向に形成されたストライプ状の電極パターン３＿１１ａを有する透明電極３＿１１が配備されている点が異なっている。ここで、例えば電極パターン３４ａで液晶光学ローパスフィルタ３＿１の上下の複屈折の分離幅を調整するとともに、電極パターン３＿１１ａで液晶光学ローパスフィルタ３＿１の左右の複屈折の分離幅を調整することにより、液晶光学ローパスフィルタ３＿１の上下方向および左右方向に対する複屈折の分離幅を調整することができる。また、例えば電極パターン３４ａ，３＿１１ａそれぞれの各部分ごとに任意の大きさの電圧Ｖを印加することにより、液晶光学ローパスフィルタ３＿１の複屈折の分離幅を自在に調整することができる。
【００７２】
図１０は、図８，図９に示す液晶光学ローパスフィルタとは異なる液晶光学ローパスフィルタの断面形状を、電極の構造とともに示す図である。
【００７３】
図１０に示す液晶光学ローパスフィルタ３＿２は、図８に示す液晶光学ローパスフィルタ３と比較し、水平方向に形成されたストライプ状の電極パターン３５ａを有する透明電極３５に代えて、複数の同心円状の電極パターン３＿２１ａを有する透明電極３＿２１が配置されている点が異なっている。ここで、同心円状の電極パターン３＿２１ａの周辺部から中央部にかけて値が徐々に小さく（もしくは大きく）なるような電圧Ｖを印加することにより、液晶光学ローパスフィルタ３＿２の周辺部から中央部にかけて複屈折の分離幅を調整することができる。
【００７４】
図１１は、図８，図９，図１０に示す液晶光学ローパスフィルタとは異なる液晶光学ローパスフィルタの断面形状を、電極の構造とともに示す図である。
【００７５】
図１１に示す液晶光学ローパスフィルタ３＿３は、図８に示す液晶光学ローパスフィルタ３と比較し、水平方向に形成されたストライプ状の電極パターン３５ａを有する透明電極３５に代えて、マトリックス状の電極パターン３＿３１ａを有する透明電極３＿３１が配置されている点が異なっている。ここで、マトリックス状の電極パターン３＿３１ａそれぞれに異なる値の電圧Ｖを印加することにより、液晶光学ローパスフィルタ３＿３の任意の位置に対する複屈折の分離幅を調整することができる。
【００７６】
図１２は、２枚の液晶光学ローパスフィルタと旋光制御素子とを備えた液晶光学ローパスフィルタの断面図である。
【００７７】
図１２に示す液晶光学ローパスフィルタ３１０は、２枚の液晶光学ローパスフィルタ３と、隣接する液晶光学ローパスフィルタ３の間に配置され後段側（図１２の右側）に配置された液晶光学ローパスフィルタ３で複屈折の分離が行なわれるように入射した画像の偏光の向きを回転させる旋光制御素子３１１とを備えたものである。ここで、旋光制御素子３１１は、液晶を用いて旋光を生じさせる液晶旋光制御素子であり、具体的には液晶光学ローパスフィルタ３が用いられる。尚、液晶を用いて旋光を生じさせる液晶旋光制御素子に変えて、水晶素子を用いて旋光を生じさせる水晶旋光制御素子を用いてもよい。
【００７８】
この液晶光学ローパスフィルタ３１０では、この液晶光学ローパスフィルタ３１０に入射された光線は、前段の液晶光学ローパスフィルタ３で垂直方向に常光と異常光とに分離される。分離された常光と異常光は、旋光制御素子３１１に入射される。この旋光制御素子３１１では、常光と異常光との偏光の向きを、例えば４５度に回転して後段の液晶光学ローパスフィルタ３に向けて出射する。後段の液晶光学ローパスフィルタ３では、垂直方向に２つの常光と２つの異常光とに分離して出射する。ここで、旋光制御素子３１１は、液晶を用いて旋光を生じさせるものであるため、液晶の液晶分子の配列の方向を印加電圧に応じて上述した４５度以外の角度（旋光量）にも変化させることができる。従って、この液晶光学ローパスフィルタ３１０では、１つの光線が４つの光線に分離されることとなり、正方形、長方形、または菱形の特性を持つ分離幅を調整することができる。従って、複屈折の分離幅をさらに自在に調整することができる。
【００７９】
図１３は、図１、図２に示すカメラの、ぶれの方向に応じて液晶光学ローパスフィルタの複屈折の分離幅を調整する分離幅調整方法のフローを示す図である。
【００８０】
先ず、ステップＳ１１において、ぶれ方向検出データを取得する。次いで、ステップＳ１２において、液晶光学ローパスフィルタ（ＬＰＦ）の、撮影レンズの特性に見合った特性を決定し、さらにステップＳ１３において液晶光学ローパスフィルタに電圧を印加することにより液晶光学ローパスフィルタを調整する。
【００８１】
次にステップＳ１４において、液晶光学ローパスフィルタのＸ方向（横方向）についての調整を行なう。さらに、ステップＳ１５において、液晶光学ローパスフィルタのＹ方向（縦方向）についての調整を行なう。例えば、パンによる撮影が行なわれた場合は、液晶光学ローパスフィルタの、ぶれの大きなＸ方向について分離幅が小さくなるように、またチルトによる撮影が行なわれた場合は、液晶光学ローパスフィルタの、ぶれの大きなＹ方向について分離幅が小さくなるように調整する。
【００８２】
さらに、ステップＳ１６において、ぶれ方向検出データを取得する。次いで、ステップＳ１７において、ぶれがあるか否かを判定する。ぶれがないと判定された場合はステップＳ１６に戻る。一方、ぶれがあると判定された場合はステップＳ１１まで戻る。
【００８３】
図１４および図１５は、本発明の第１の撮影装置の第２実施形態である携帯電話の、それぞれ表面および裏面を示す外観斜視図である。
【００８４】
図１４および図１５に示す携帯電話２０００は、撮影光学系を備えその撮影光学系を経由して入射してきた被写体光を撮像素子で捉えて画像信号を生成する、上部２０１０と下部２０２０とからなる折り畳み式の携帯電話である。
【００８５】
上部２０１０には、図１４に示すように、画像表示装置２１００と、スピーカからの音声を放つための送話口２０１２と、アンテナ２０１３とが備えられている。また、上部２０１０には、図１５に示すように、撮影光学系を構成する撮影レンズ２０１４が備えられている。一方、下部２０２０には、図１４に示すように、各種の操作ボタン２０２１＿１，２０２１＿２からなる操作部２０２１と、話者の声をマイクロホンに伝えるための受話口２０２２が設けられている。
【００８６】
図１６は、図１４，図１５に示す携帯電話の内部の概略構成を示すブロック図である。
【００８７】
この携帯電話２０００には、撮影光学系を構成する撮影レンズ２０１４および液晶光学ローパスフィルタ２００３（本発明にいうローパスフィルタの他の一例に相当）が備えられている。液晶光学ローパスフィルタ２００３は、液晶を用い印加電圧に応じて複屈折の分離幅が変化するローパスフィルタであって、縦横の各分離幅を独立に調整自在なローパスフィルタである。尚、この液晶光学ローパスフィルタ２００３の構成および機能は、図３を参照して説明した液晶光学ローパスフィルタ３の構成および機能と同じであるため、これ以上の説明は省略する。
【００８８】
また、この携帯電話２０００には、この携帯電話２０００のぶれの方向およびぶれの程度を検出する携帯電話動き方向検出部２００９（本発明にいうセンサの他の一例に相当）が備えられている。具体的には、携帯電話動き方向検出部２００９は、この携帯電話２０００で動画や静止画を撮影するにあたり、パンによる撮影が行なわれた場合は、そのぶれの大きな横方向における信号を検出し、またチルトによる撮影が行なわれた場合は、そのぶれの大きな縦方向における信号を検出する。
【００８９】
さらに、この携帯電話２０００には、携帯電話動き方向検出部２００９によるぶれの検出結果に基づいて、液晶光学ローパスフィルタ２００３の縦および横の分離幅を、ぶれの大きな方向については分離幅が小さくなるようにそれぞれ調整する分離幅調整部２００４が備えられている。
【００９０】
また、この携帯電話２０００には、撮影光学系を経由して入射してきた被写体光を結像させてアナログの画像信号に変換する撮像素子であるＣＣＤ２０３１が備えられている。
【００９１】
さらに、この携帯電話２０００には、ＣＣＤ固体撮像素子２０３１で得られた画像信号を入力して、利得調整、Ａ／Ｄ変換、ホワイトバランス補正、ガンマ補正等の各種画像処理を行なう画像処理部２０３２、および、図１４に示す画像表示装置２１００が備えられている。
【００９２】
また、この携帯電話２０００には、記録部２０３３が備えられており、画像処理部２０３２における、さらに圧縮処理の行なわれた画像信号が送られてその記録部２０３３に配備された画像メモリ（図示せず）に画像信号が記録される。
【００９３】
さらに、この携帯電話２０００には、図１４にも示す、多数の操作ボタンが配列されそれらの操作ボタンの操作の検出が行なわれる操作部２０２１、および制御部２０３４が備えられており、この操作部２０２１における操作ボタンの操作状態に基づいて、画像処理部２０３２、記録部２０３３、画像表示装置２１００、および後述する通信部２０３５の動作を制御部２０３４で制御する。
【００９４】
この図１６に示すマイクロホン２０３６は、図１４に示す受話口２０２２の内側の位置に配備されていて話者の声をピックアップするものであり、スピーカ２０３７は、図１４に示す送話口２０１２の内側に配備されていて、電話の相手から送られてきた音声を発するものである。
【００９５】
通信部２０３５は、それらマイクロホン２０３６とスピーカ２０３７、さらに図１４、図１５にも示すアンテナ２０１３に接続され、制御部２０３４の制御を受けて、電話のための通信を担当している。この通信部２０３５はいわゆる電子メールの送受信も担当するが、本発明の特徴とは直接な関係がないため電話や電子メールの機能についてはこれ以上の詳細説明は省略する。
【００９６】
この携帯電話２０００は、この携帯電話２０００のぶれの方向およびぶれの程度を検出する携帯電話動き方向検出部２００９からのぶれの検出結果に基づいて、液晶光学ローパスフィルタ２００３の縦および横の分離幅を、ぶれの大きな方向については分離幅が小さくなるように分離幅調整部２００４でそれぞれ調整するものである。このため、この携帯電話２０００で動画や静止画を撮影するにあたり、パンによる撮影が行なわれた場合は、液晶光学ローパスフィルタ２００３の、ぶれの大きな横方向について分離幅が小さくなるように、またチルトによる撮影が行なわれた場合は、液晶光学ローパスフィルタ２００３の、ぶれの大きな縦方向について分離幅が小さくなるように調整することにより、撮影画像の解像度を必要以上に低下させないようにすることができる。従って、撮影画像の画質を高めることができる。
【００９７】
図１７は、本発明の第２の撮影装置の第１実施形態であるカメラの回路構成を示すブロック図である。
【００９８】
尚、図１７に示すカメラ３０００の外観図は、図１に示すカメラ１００の概観図と同じであるため、図示省略する。また、図２に示すカメラ１００の構成要素と同じ構成要素には同一の符号を付し、異なる点について説明する。
【００９９】
図１７に示すカメラ３０００は、図２に示すカメラ１００と比較し、画素ずらし素子３００１と、画素ずらし量調整部３００２が追加されている点が異なっている。
【０１００】
画素ずらし素子３００１は、液晶を用い印加電圧に応じて光束の屈折方向が変化する画素ずらし素子であって、縦横の画素ずらし量を独立に調整することによりＣＣＤ１３２上の被写体像の画像信号を二次元的に調整する。
【０１０１】
画素ずらし量調整部３００２は、カメラ動き方向検出部９によるぶれの検出結果に基づいて、画素ずらし素子３００１の、縦および横の画素ずらし量を、ぶれの大きな方向については画素ずらし量が小さくなるようにそれぞれ調整する。
【０１０２】
カメラ３０００で動画や静止画を撮影するにあたり、前述したように、パンやチルトによる撮影が行なわれた場合、このカメラ３０００では、液晶光学ローパスフィルタ３の、ぶれの大きな横方向や縦方向について分離幅が小さくなるように調整される。さらに、このカメラ３０００では、カメラ動き方向検出部９によるぶれの検出結果に基づいて、画素ずらし素子３００１の、縦および横の画素ずらし量を、ぶれの大きな方向については画素ずらし量が小さくなるようにそれぞれ調整される。このため、このカメラ３０００では、ぶれが発生した場合、液晶光学ローパスフィルタ３の調整と併用して、画素ずらし素子３００１の、縦および横の画素ずらし量を、ぶれの大きな方向については画素ずらし量が小さくなるようにそれぞれ調整することにより、撮影画像の解像度を必要以上に低下させないようにすることができる。従って、撮影画像の画質を高めることができる。尚、ぶれの大きさが、画素の１／２ピッチを超えた時点で画素ずらし量はゼロ（画素ずらし素子３００１の特性はオフ）になる。
【０１０３】
図１８は、図１７に示すカメラの、画素ずらし素子の画素ずらし量を調整する画素ずらし量調整方法のフローを示す図である。
【０１０４】
先ず、ステップＳ２１において、ぶれ方向検出データを取得する。次いで、ステップＳ２２において、画素ずらし方向を決定する。さらに、ステップＳ２３において、画素ずらし方向を調整してステップＳ２４に進む。
【０１０５】
ステップＳ２４では、光学液晶ローパスフィルタ（ＬＰＦ）の調整方法を決定し、さらにステップＳ２５で光学液晶ローパスフィルタをその方法で調整する。次いで、ステップＳ２６において、ぶれ方向検出データを取得する。
【０１０６】
さらに、ステップＳ２７において、ぶれがあるか否かを判定する。ぶれがないと判定された場合はステップＳ２６に戻る。一方、ぶれがあると判定された場合はステップＳ２１まで戻る。
【０１０７】
図１９は、本発明の第２の撮影装置の第２実施形態である携帯電話の内部の概略構成を示すブロック図である。
【０１０８】
尚、図１９に示す携帯電話４０００の外観斜視図は、図１４，図１５に示す携帯電話２０００の概観斜視図と同じであるため、図示省略する。また、図１６に示す携帯電話２０００の構成要素と同じ構成要素には同一の符号を付し、異なる点について説明する。
【０１０９】
図１９に示す携帯電話４０００は、図１６に示す携帯電話２０００と比較し、画素ずらし素子４００１と、画素ずらし量調整部４００２が追加されている点が異なっている。
【０１１０】
画素ずらし素子４００１は、液晶を用い印加電圧に応じて光束の屈折方向が変化する画素ずらし素子であって、縦横の画素ずらし量を独立に調整することによりＣＣＤ２０３１上の被写体像の画像信号を二次元的に調整する。
【０１１１】
画素ずらし量調整部４００２は、携帯電話動き方向検出部２００９によるぶれの検出結果に基づいて、画素ずらし素子４００１の、縦および横の画素ずらし量を、ぶれの大きな方向については画素ずらし量が小さくなるようにそれぞれ調整する。
【０１１２】
この携帯電話４０００で動画や静止画を撮影するにあたり、パンやチルトによる撮影が行なわれた場合、この携帯電話４０００では、液晶光学ローパスフィルタ２００３の、ぶれの大きな横方向や縦方向について分離幅が小さくなるように調整される。さらに、この携帯電話４０００では、携帯電話動き方向検出部２００９によるぶれの検出結果に基づいて、画素ずらし素子４００１の、縦および横の画素ずらし量を、ぶれの大きな方向については画素ずらし量が小さくなるようにそれぞれ調整される。このため、この携帯電話４０００では、ぶれが発生した場合、液晶光学ローパスフィルタ２００３の調整と併用して、画素ずらし素子４００１の、縦および横の画素ずらし量を、ぶれの大きな方向については画素ずらし量が小さくなるようにそれぞれ調整することにより、撮影画像の解像度を必要以上に低下させないようにすることができる。従って、撮影画像の画質を高めることができる。尚、ぶれの大きさが、画素の１／２ピッチを超えた時点で画素ずらし量はゼロ（画素ずらし素子３００１の特性はオフ）になる。
【図面の簡単な説明】
【０１１３】
【図１】本発明の第１の撮影装置の第１実施形態であるカメラの外観図である。
【図２】図１に示すカメラの回路構成を示すブロック図である。
【図３】図２に示す液晶光学ローパスフィルタの断面図である。
【図４】図３に示す液晶光学ローパスフィルタの液晶分子の配列の方向を調整する様子を説明するための図である。
【図５】図４に示す液晶分子の、印加電圧に応じて変化する複屈折の分離幅を示す図である。
【図６】液晶光学ローパスフィルタの、分離幅ｄにおける空間周波数レスポンスを示す図である。
【図７】種々のレンズの空間周波数レスポンスを示す図である。
【図８】図１，図２に示すカメラにおける液晶光学ローパスフィルタの断面形状を、電極の構造とともに示す図である。
【図９】図８に示す液晶光学ローパスフィルタとは異なる液晶光学ローパスフィルタの断面形状を、電極の構造とともに示す図である。
【図１０】図８，図９に示す液晶光学ローパスフィルタとは異なる液晶光学ローパスフィルタの断面形状を、電極の構造とともに示す図である。
【図１１】図８，図９，図１０に示す液晶光学ローパスフィルタとは異なる液晶光学ローパスフィルタの断面形状を、電極の構造とともに示す図である。
【図１２】２枚の液晶光学ローパスフィルタと旋光制御素子とを備えた液晶光学ローパスフィルタの断面図である。
【図１３】図１、図２に示すカメラの、ぶれの方向に応じて液晶光学ローパスフィルタの複屈折の分離幅を調整する分離幅調整方法のフローを示す図である。
【図１４】本発明の第１の撮影装置の第２実施形態である携帯電話の表面を示す外観斜視図である。
【図１５】本発明の第１の撮影装置の第２実施形態である携帯電話の裏面を示す外観斜視図である。
【図１６】図１４，図１５に示す携帯電話の内部の概略構成を示すブロック図である。
【図１７】本発明の第２の撮影装置の第１実施形態であるカメラの回路構成を示すブロック図である。
【図１８】図１７に示すカメラの、画素ずらし素子の画素ずらし量を調整する画素ずらし量調整方法のフローを示す図である。
【図１９】本発明の第２の撮影装置の第２実施形態である携帯電話の内部の概略構成を示すブロック図である。
【符号の説明】
【０１１４】
１  撮影光学系
２  絞りユニット
３，３＿１，３＿２，３＿３，３１０，２００３  液晶光学ローパスフィルタ
３＿１１，３＿２１，３＿３１，３４，３５  透明電極
３＿１１ａ，３＿２１ａ，３＿３１ａ，３４ａ，３５ａ  電極パターン
４，２００４  分離幅調整部
５  ズーム駆動部
６  フォーカス駆動部
７  絞り駆動部
８  ズーム位置検出部
９  カメラ動き方向検出部
３１  スペーサ
３２，３３  透明基板
３６，３７  配光膜
３８  液晶
３８ａ  液晶分子
１００，３０００  カメラ
１０１  撮影レンズ
１０１＿１  ズーム群
１０１＿２  フォーカス群
１０２  画像表示ＬＣＤ
１０３  操作表示ＬＣＤ
１０４  レリーズ釦
１０５  閃光発光装置
１０５ａ  閃光発光管
１０６  映像出力端子
１０７  ＵＳＢ端子
１０８  直流電圧入力端子
１２０  操作部
１２１  電源スイッチ
１２２  撮影・再生切替レバー
１２３  撮影モードダイヤル
１２４  十字スイッチ
１２５  閃光発光用スイッチ
１２６  実行／キャンセルスイッチ
１３２  ＣＣＤ
１３３  Ａ／Ｄ部
１３４  白バランス・γ処理部
１３５  バッファメモリ
１３６  ＣＧ部
１３７  測光・測距用ＣＰＵ
１３８  充電・発光制御部
１３９  通信制御部
１４０  ＹＣ処理部
１４１  電源
１４２  バスライン
１４３  圧縮・伸長＆ＩＤ抽出部
１４４  Ｉ／Ｆ部
１４５  メインＣＰＵ
１４６  ＥＥＰＲＯＭ
１４７  ＹＣ／ＲＧＢ変換部
１４８  ドライバ
２００  メモリカード
３１１  旋光制御素子
２０００，４０００  携帯電話
２００９  携帯電話動き方向調整部
２０１０  上部
２０１２  送話口
２０１３  アンテナ
２０２０  下部
２０２１  操作部
２０２１＿１，２０２１＿２  操作ボタン
２０２２  受話口
２０３１  ＣＣＤ固体撮像素子
２０３２  画像処理部
２０３３  記録部
２０３４  制御部
２０３５  通信部
２０３６  マイクロホン
２０３７  スピーカ
３００１，４００１  画素ずらし素子
３００２，４００２  画素ずらし量調整部
【図１】
2007104419.tif 000003
【図２】
2007104419.tif 000004
【図３】
2007104419.tif 000005
【図４】
2007104419.tif 000006
【図５】
2007104419.tif 000007
【図６】
2007104419.tif 000008
【図７】
2007104419.tif 000009
【図８】
2007104419.tif 000010
【図９】
2007104419.tif 000011
【図１０】
2007104419.tif 000012
【図１１】
2007104419.tif 000013
【図１２】
2007104419.tif 000014
【図１３】
2007104419.tif 000015
【図１４】
2007104419.tif 000016
【図１５】
2007104419.tif 000017
【図１６】
2007104419.tif 000018
【図１７】
2007104419.tif 000019
【図１８】
2007104419.tif 000020
【図１９】
2007104419.tif 000021